(57)【要約】【課題】  パワーショベルのバケットで廃棄物の押込み、破砕及び選別と鉄くずの吸着回収ができるようにしたマグネット付きバケットを提供する。【解決手段】  バケット１０の開口部１０１を形成する両側壁１２、１２内側及び底壁１３内側に内接して回動できるように、開口部１０１上縁に回動部１０２を設けた格子状の押え蓋２０と、上壁１１外面に設けられた前記格子状の押え蓋２０と連動するシリンダロッド３０と、前記格子状の押え蓋２０と対向する奥壁１４外面、又は、底壁１３外面に設けられた電磁石４０とを備えて、廃棄物の押込み、破砕及び大小の選別と鉄くずの吸着回収ができるようにしたもの。【選択図】        図１
2007146470.tif 000002
【特許請求の範囲】
【請求項１】
バケット１０の開口部１０１を形成する両側壁１２、１２内側及び底壁１３内側に内接して回動できるように、開口部１０１上縁に回動部１０２を設けた格子状の押え蓋２０と、上壁１１外面に設けられた前記格子状の押え蓋２０と連動するシリンダロッド３０と、前記格子状の押え蓋２０と対向する奥壁１４外面、又は、底壁１３外面に設けられた電磁石４０とを備えて、前記上壁１１外面に設けられたシリンダロッド３０により、前記格子状の押え蓋２０を前記バケット１０内に押し込んで廃棄物を破砕できるようにし、次いで、前記格子状の押え蓋２０が下面になるように、前記バケット１０をアームシリンダロッド５０により回動し、前記格子状の押え蓋２０の蓋隙間を介して廃棄物の大小を選別すると共に、通電した電磁石４０により鉄くずを吸着して回収できるようにしたことを特徴とするマグネット付きバケット。
【請求項２】
前記格子状の押え蓋２０が、前記バケット１０上壁１１外面に設けられたシリンダロッド２０により、約１２０°回動して廃棄物を押し込んで破砕できるようにしたことを特徴とする請求項１記載のマグネット付きバケット。
【請求項３】
前記格子状の押え蓋２０が、先送り蓋縦板２１、２２と、先端にスクレーパ板２５を結合した後送り蓋縦板２３、２４とを一定間隔で装着したものからなり、前記押え蓋２０の回動が、前記先送り蓋縦板２１、２２を押し込んだのち、前記スクレーパ板２５を結合した後送り蓋縦板２３、２４をバケット１０内に押し込んで、廃棄物の破砕ができるようにしたことを特徴とする請求項１又は２記載のマグネット付きバケット。
【発明の詳細な説明】
【技術分野】
【０００１】
本発明は、各種廃棄物の押込み、破砕及び選別と鉄くずの吸着回収ができるようにしたマグネット付きバケットに関する。
【背景技術】
【０００２】
従来のパワーショベルのバケットには、バケット内に油圧モーターで回転するドラムに破砕刃を取りつけてバケット内に押し込んだ廃棄物等を破砕できるようにしたものがあったが、バケット内に回転破砕機を備えることにより、製作費の高騰と構造の複雑化を招く欠点があった。
そこで本発明者は、バケット内にバケットカバー（バケット開口部の蓋）を進入させて、バケット内の廃棄物等を押し込んで破砕しようと考えたが、バケット蓋が内部に進入するだけでは破砕力が不足すると共に、破砕物を選別することができないので、鋭意研究の結果、バケット蓋の構造を多数の頑丈な縦板を組み合わせて、各縦板に約１２０°回動する強力な回動力と、各縦板のうち、先送りできるようにした縦板と後送りできるようにした縦板とこれに結合するスクレーパ板とを設けて、２段押しできるようにし、強力な破砕力と廃棄物の選別と鉄くずの吸着回収とを行うことに成功した。
【特許文献１】特開２０００−２２０１６３号公報
【特許文献２】特開２００４−６６２１３号公報
【特許文献３】特開平８−２６０５０５号公報
【特許文献４】特開平８−２４５１５６号公報
【発明の開示】
【発明が解決しようとする課題】
【０００３】
本発明は、パワーショベルのバケットで廃棄物の押込み、破砕及び選別と鉄くずの吸着回収ができるようにしたマグネット付きバケットを提供するものである。
また、本発明は、パワーショベルに簡単に取り付けでき、堅牢で故障少なく、強力に破砕選別及び鉄くずの吸着ができるようにしたマグネット付きバケットを提供することにある。
【課題を解決するための手段】
【０００４】
本発明のマグネット付きバケットは、上記課題を達成するため、図１、図８に示すように、バケット１０の開口部１０１を形成する両側壁１２、１２内側及び底壁１３内側に内接して回動できるように、開口部１０１上縁に回動部１０２を設けた格子状の押え蓋２０と、上壁１１外面に設けられた前記格子状の押え蓋２０と連動するシリンダロッド３０と、前記格子状の押え蓋２０と対向する奥壁１４外面、又は、底壁１３外面に設けられた電磁石４０とを備えて、前記上壁１１外面に設けられたシリンダロッド３０により、前記格子状の押え蓋２０を前記バケット１０内に押し込んで廃棄物を破砕できるようにし、次いで、前記格子状の押え蓋２０が下面になるように、前記バケット１０をアームシリンダロッド５０により回動し、前記格子状の押え蓋２０の蓋隙間を介して廃棄物の大小を選別すると共に、通電した電磁石４０により鉄くずを吸着して回収できるようにしたものである。
または、本発明のマグネット付きバケットは、上記課題を達成するため、請求項１の発明において、図３に示すように、前記格子状の押え蓋２０が、前記バケット１０上壁１１外面に設けられたシリンダロッド２０により、約１２０°回動して廃棄物を押し込んで破砕できるようにしたものである。
なお、電磁石４０は、図１２に示すように、底壁１３の外面に取りつけて使用してもよい。
さらに、本発明のマグネット付きバケットは、上記課題を達成するため、請求項１又は２の発明において、図２に示すように、前記格子状の押え蓋２０が、先送り蓋縦板２１、２２と、先端にスクレーパ板２５を結合した後送り蓋縦板２３、２４とを一定間隔で装着したものからなり、前記押え蓋２０の回動が、前記先送り蓋縦板２１、２２を押し込んだのち、前記スクレーパ板２５を結合した後送り蓋縦板２３、２４をバケット１０内に押し込んで、廃棄物の破砕ができるようにしたものである。
本発明において、押え蓋２０は、堅牢にするため、各蓋縦板２１、２２、２３、２４は厚みのある縦板を使用し、また、破砕力を強力にするため、各蓋縦板２１、２２、２３、２４はバケット１０内を約１２０°回動できるようにすると共に、先送り蓋縦板２１、２２とスクレーパ板２５を結合した後送り蓋縦板２３、２４とに分け、前者は蓋縦板回動の際に先送りして廃棄物を押し込んで破砕し、その後、スクレーパ板２５を結合した蓋縦板２３で押し込み破砕する２段押し破砕を、場合により繰り返し行う、ことができるようにしたものである。また、押え蓋２０は、蓋面が下面になるように回動して各蓋縦板の間隙から廃棄物の大小を選別できるようにしたものである。
また、本発明において、電磁石４０は、バケット１０の奥壁１４外面に取りつけると共に、押え蓋２０が下面に来たときに上面に位置するようにして吸着回収の能率を上げられるようにしている。さらに、電磁石４０は、磁化に要する電線の取付部をカバー４１で被覆して電気的な保護の万全を期している。
【発明の効果】
【０００５】
本発明によれば、特別な回転式破砕機をバケット内に備える必要はなく、バケット内に回動する押え蓋があれば廃棄物破砕、選別と鉄くずの回収ができ、構造簡単で、製作安価につくので、廃棄物処理業界に与える影響は大きい。
【発明を実施するための最良の形態】
【０００６】
本発明のマグネット付きバケットの最良の形態が以下の実施例で示されている。
【実施例】
【０００７】
本発明の実施例が図１乃至図１１に示されている。
本発明実施例のマグネット付きバケットは、バケット本体１０と格子状の押え蓋２０とシリンダロッド３０と電磁石４０とを備えている。
バケット本体１０は、通常の形状のもので、開口部１０１、上壁１１、両側壁１２、１２、底壁１３、奥壁１４、上壁１１の上面に設けられた１対のブラケット１０３から形成されている。
格子状の押え蓋２０は、２個の蓋縦板２１、２１、３個の蓋縦板２２、２２、２２、２個の蓋縦板２３、２３、４個の蓋縦板２４、２４、２４、２４と、スクレーパ板２５（２５１、２５２、２５２）と、爪部２８１、２８１、２８２、２８２とかなり、前記各蓋縦板は、先端部がスクレーパ板２５に結合されると共に、支棒２６及び２７により、一定間隔に装架されている。さらに、蓋縦板２１、２１及び２３、２３は、バケット本体１０の上壁１１に設けられた１対のブラケット１０３、１０３の回動部１０２、１０２に軸支された１対の支棒１０２１、１０２１に軸着している。
また、蓋縦板２１、２１は、バケット本体１０の上壁１１に一端を支棒１０７１を介して回動部１０７，１０７に回動可能に支持され、他端を支棒１０６１の回動部１０６に軸支したピストンロッド３１に軸着している。
なお、ブラケット１０３、１０３には、図９乃至図１１に示すアームシリンダロッド５０先端の回動部１０５、１０５と継棒５０１、５０２を介して連結され、またアーム５の回動部１０４が設けられている。
スクレーパ板２５は、蓋縦板２１、２１及び２２、２２、２２の各先端に結合されて、押え蓋２０がバケット開口部１０１から押し込まれる際に、先送りされるスクレーパ板部２５１と、蓋縦板２３、２３及び２４、２４、２４、２４に結合されて、後送りされるスクレーパ板部２５２とに分けられている。
また、スクレーパ板２５の先端には、スクレーパ板部２５１には２個の爪部２８１、スクレーパ板部２５２、２５２には各１個の爪部２８１、２８１が設けられて廃棄物の破砕ができるように形成されている。
電磁石４０は、廃棄物の押込、破砕に影響しないように、バケット本体１０の奥壁外面に取りつけられ、電源４１はカバー４１１で保護されている。
従って、図９に示すように、廃棄物７０は、底壁爪部１３１及び押え蓋爪部２８１、２８２により破砕されつつ、バケット１０内に押し込まれ、図１０に示すように、先送りの蓋縦板２１、２２と後送りの蓋縦板２３、２４の２段押しによる押込みと破砕が続けられて、廃棄物７０の破砕が一段落すれば、図１１に示すように、電磁石４０を上に、押え蓋２０が下になるように、バケット１０を回動して、押え蓋２０による廃棄物７０のふるい落しと電磁石４０よる鉄くず７１の吸着とにより、廃棄物７０の破砕されたものの大小の選別及び鉄くず７１の回収が行われることになる。電磁石４０が、図１２に示すように、底壁１３外面に取りつけられた場合は、図１３、１４及び１５に示すように使用される。
【産業上の利用可能性】
【０００８】
本発明のマグネット付きバケットは、構造簡単で製作容易であり、量産できると共に、従来のパワーショベルに容易に取りつけられるので、廃棄物処理業界に大きな期待を与えることができる。
【図面の簡単な説明】
【０００９】
【図１】本発明の実施例を示す説明図である。
【図２】図１の要部の平面図である。
【図３】図１の動作説明図である。
【図４】図１の別の動作説明図である。
【図５】蓋縦板の説明図である。
【図６】蓋縦板の別の説明図である。
【図７】蓋縦板の別の説明図である。
【図８】蓋縦板の別の説明図である。
【図９】本発明実施例の使用状態説明図である。
【図１０】本発明実施例の別の使用状態説明図である。
【図１１】本発明実施例の別の使用状態説明図である。
【図１２】本発明の別の実施例を示す説明図である。
【図１３】図１２の使用状態説明図である。
【図１４】図１２の別の使用状態説明図である。
【図１５】図１２の別の使用状態説明図である。
【符号の説明】
【００１０】
１０                      バケット本体
１０１                    開口部
１１                      上壁
１２                      側壁
１３                      底壁
１４                      奥壁
２０                      押え蓋
２１、２２、２３、２４    蓋縦板
２５                      スクレーパ板
３０                      シリンダロッド
４０                      電磁石
５０                      アームシリンダロッド
７０                      廃棄物
７１                      鉄くず
【図１】
2007146470.tif 000003
【図２】
2007146470.tif 000004
【図３】
2007146470.tif 000005
【図４】
2007146470.tif 000006
【図５】
2007146470.tif 000007
【図６】
2007146470.tif 000008
【図７】
2007146470.tif 000009
【図８】
2007146470.tif 000010
【図９】
2007146470.tif 000011
【図１０】
2007146470.tif 000012
【図１１】
2007146470.tif 000013
【図１２】
2007146470.tif 000014
【図１３】
2007146470.tif 000015
【図１４】
2007146470.tif 000016
【図１５】
2007146470.tif 000017